【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
所定数（Ｉ）の知覚符号化処理を使用して音場のＨＯＡと称する高次アンビソニックス表現をＨＯＡ係数列の入力される時間フレーム
2016520864.tif 000001
を用いて圧縮する方法であって、
前記方法は、フレーム単位で行われ、
−現在のフレーム
2016520864.tif 000002
に対して、支配的な方向のセット
2016520864.tif 000003
および対応する検出された方向性信号のインデックスのデータセット
2016520864.tif 000004
を推定するステップ（１３）と、
−前記現在のフレームのＨＯＡ係数列を分解するステップ（１４、１５）であって、非所定数（Ｍ）の方向性信号（ＸＤＩＲ（ｋ−２））であって、支配的な方向推定値の前記セット
2016520864.tif 000005
に含まれる各々の方向と前記方向性信号のインデックスの各々の遅延したデータセット
2016520864.tif 000006
とを用いた、前記非所定数（Ｍ）が前記所定数（Ｉ）よりも小さい、該非所定数（Ｍ）の方向性信号（ＸＤＩＲ（ｋ−２））と、前記所定数（Ｉ）と前記非所定数（Ｍ）との差に対応する低減された数のＨＯＡ係数列によって表現される残差のアンビエントＨＯＡ成分（ＣＡＭＢ，ＲＥＤ（ｋ−２））と、対応する前記低減された数の残差のアンビエントＨＯＡ係数列のインデックスのデータセット
2016520864.tif 000007
と、に分解する、該分解するステップ（１４、１５）と、
−前記方向性信号（ＸＤＩＲ（ｋ−２））および前記残差のアンビエントＨＯＡ成分（ＣＡＭＢ，ＲＥＤ（ｋ−２））のＨＯＡ係数列を前記所定数（Ｉ）に対応する数のチャンネルに割り当てるステップ（１６）であって、前記割り当てのために、前記方向性信号のインデックスの前記遅延されたデータセット
2016520864.tif 000008
および前記低減された数の残差のアンビエントＨＯＡ係数列のインデックスの前記データセット
2016520864.tif 000009
が使用される、該割り当てるステップと、
−関連するフレーム（Ｙ（ｋ−２））の前記チャンネルを知覚符号化するステップ（１７）であって、符号化された圧縮されたフレーム
2016520864.tif 000010
が得られる、該知覚符号化するステップ（１７）と、
を含む、前記方法。
【請求項２】
所定数（Ｉ）の知覚符号化処理を使用して音場のＨＯＡと称する高次アンビソニックス表現をＨＯＡ係数列の入力される時間フレーム
2016520864.tif 000011
を用いて圧縮する装置であって、当該装置は、フレーム単位の処理を実行し、
−現在のフレーム
2016520864.tif 000012
に対して、支配的な方向のセット
2016520864.tif 000013
および対応する検出された方向性信号のインデックスのデータセット
2016520864.tif 000014
を推定するように構成された手段（１３）と、
−前記現在のフレームのＨＯＡ係数列を分解するように構成された手段（１４、１５）であって、非所定数（Ｍ）の方向性信号（ＸＤＩＲ（ｋ−２））であって、支配的な方向推定値の前記セット
2016520864.tif 000015
に含まれる各々の方向と、前記方向性信号のインデックスの各々の遅延したデータセット
2016520864.tif 000016
とを用いた、前記非所定数（Ｍ）が前記所定数（Ｉ）よりも小さい、該非所定数（Ｍ）の方向性信号（ＸＤＩＲ（ｋ−２））と、前記所定数（Ｉ）と前記非所定数（Ｍ）との差に対応する低減された数のＨＯＡ係数列によって表現される残差のアンビエントＨＯＡ成分（ＣＡＭＢ，ＲＥＤ（ｋ−２））と、対応する前記低減された数の残差のアンビエントＨＯＡ係数列のインデックスのデータセット
2016520864.tif 000017
と、に分解するように構成され、割り当てのために、前記方向性信号のインデックスの前記遅延されたデータセット
2016520864.tif 000018
および前記減少した数の残差のアンビエントＨＯＡ係数列の前記データセット
2016520864.tif 000019
が使用される、該手段（１４、１５）と、
−前記方向性信号（ＸＤＩＲ（ｋ−２））および前記残差のアンビエントＨＯＡ成分（ＣＡＭＢ，ＲＥＤ（ｋ−２））のＨＯＡ係数列を前記所定数（Ｉ）に対応する数のチャンネルに割り当てるように構成された手段（１６）であって、該割り当てにより前記割り当てを記述する選択されたアンビエントＨＯＡ係数列のインデックスのパラメータ
2016520864.tif 000020
を取得し、該パラメータが圧縮解除側での対応する再配分に使用可能である、前記手段（１６）と、
−関連するフレーム（Ｙ（ｋ−２））の前記チャンネルを知覚符号化するように構成された手段（１７）であって、符号化された圧縮されたフレーム
2016520864.tif 000021
が得られる、該手段（１７）と、
を備える、前記装置。
【請求項３】
前記非所定数（Ｍ）の方向性信号（ＸＤＩＲ（ｋ−２））は、知覚に関連する基準に従って、
−前記圧縮のための所定の所与の数のチャンネルを用いることにより、対応して圧縮解除されるＨＯＡ表現が最小の知覚可能な誤差をもたらし、前記基準で考慮される誤差は、
−−複数の異なる数の前記方向性信号（ＸＤＩＲ（ｋ−２））と前記残差のアンビエントＨＯＡ成分（ＣＡＭＢ，ＲＥＤ（ｋ−２））に対して複数の異なる数のＨＯＡ係数列とを
使用することから生ずるモデル化誤差と、
−−前記方向性信号（ＸＤＩＲ（ｋ−２））の知覚符号化に伴う量子化雑音と、
−−前記残差のアンビエントＨＯＡ成分（ＣＡＭＢ，ＲＥＤ（ｋ−２））の個々のＨＯＡ
係数列を符号化することに伴う量子化雑音と、であり、
−前記３つの誤差の結果として生ずる合計誤差は、当該合計誤差の知覚可能性に関して、複数のテスト方向および複数の臨界帯域に対して考慮され、
−前記最小の知覚可能な誤差を達成するために、平均の知覚可能な誤差または最大の知覚可能な誤差を最小化するように前記非所定数（Ｍ）の方向性信号（ＸＤＩＲ（ｋ−２））が選択される、ように決定される、請求項１に記載の方法。
【請求項４】
前記残差のアンビエントＨＯＡ成分（ＣＡＭＢ，ＲＥＤ（ｋ−２））を表現する低減された数のＨＯＡ係数列の選択は、３つの場合を区別する基準に従って行われ、前記３つの場合は、
−前記現在のフレーム（ｋ）のＨＯＡ係数列の数がその前のフレーム（ｋ−１）のＨＯＡ係数列の数と同一であるときに、前記前のフレームと同一のＨＯＡ係数列が選択される場合と、
−前記現在のフレーム（ｋ）のＨＯＡ係数列の数がその前のフレーム（ｋ−１）のＨＯＡ係数列の数よりも小さいときに、方向性信号によって占められている前記現在のフレーム内のチャンネルに割り当てられた前記前のフレームに存在した、前記前のフレームからのＨＯＡ係数列が非アクティブ化される場合と、
−前記現在のフレーム（ｋ）のＨＯＡ係数列の数がその前のフレーム（ｋ−１）のＨＯＡ係数列の数よりも大きいときに、前記前のフレームで選択されていたＨＯＡ係数列が前記現在のフレームでも選択され、追加的なＨＯＡ係数列が当該追加的なＨＯＡ係数列の知覚的な重要性または最も高い平均パワーに従って選択可能である場合と、
である、請求項１または３に記載の方法。
【請求項５】
前記割り当て（１６）の実行で、
−アクティブな方向性信号は、前記知覚符号化（１７）のための連続的な信号を取得するために、そのアクティブな方向性信号がチャンネル・インデックスを保持するように、所与のチャンネルに割り当てられ、
−前記残差のアンビエントＨＯＡ成分（ＣＡＭＢ，ＲＥＤ（ｋ−２））のＨＯＡ係数列は、最小の数（ΟＲＥＤ）の当該ＨＯＡ係数列が常に対応する数（ΟＲＥＤ）の前のチャンネルが含まれるように、割り当てられ、
−前記残差のアンビエントＨＯＡ成分（ＣＡＭＢ，ＲＥＤ（ｋ−２））の追加的なＨＯＡ係数列を割り当てるために、該追加的なＨＯＡ係数列が前記前のフレーム（ｋ−１）でも選択されていたかが判定され、
−−前記追加的なＨＯＡ係数列が前記前のフレーム（ｋ−１）でも選択されていた場合には、前記ＨＯＡ係数列の知覚符号化（１７）されるチャンネルに対する割り当て（１６）が前記前のフレームに対する割り当てと同一となり、
−−前記追加的なＨＯＡ係数列が前記前のフレーム（ｋ−１）では選択されておらず、
ＨＯＡ係数列が新たに選択されている場合には、前記ＨＯＡ係数列は、まずインデックスに関して昇順に配列され、当該昇順で、方向性信号によってまだ占められていない知覚符号化（１７）されるチャンネルに割り当てられる、
請求項１、３、および４のいずれか１項に記載の方法。
【請求項６】
ΟＲＥＤは、前記残差のアンビエントＨＯＡ成分（ＣＡＭＢ,ＲＥＤ（ｋ−２））を表現するＨＯＡ係数列の数であり、前記割り当て（１６）を記述するパラメータは、前記残差のアンビエントＨＯＡ成分を表現するΟＲＥＤ個のＨＯＡ係数列に追加して使用される追加の数のＨＯＡ係数列に対応する長さを有するビットアレイに配列され、前記ビットアレイ内で各ｏ番目のビットは、（ΟＲＥＤ＋ｏ）番目の追加のＨＯＡ係数列が前記残差のアンビエントＨＯＡ成分を表現するために使用されているかどうかを示す、請求項１および３〜５のいずれか１項に記載の方法。
【請求項７】
前記割り当て（１６）を記述するパラメータは、非アクティブな方向性信号の数に対応する長さを有する割り当てベクトルに配列され、該割り当てベクトルの要素は、前記残差のアンビエントＨＯＡ成分の追加的なＨＯＡ係数列のうちのいずれが非アクティブな方向性信号を有するチャンネルに割り当てられるかを示す、請求項１および３〜５のいずれか１項に記載の方法。
【請求項８】
前記現在のフレームのＨＯＡ係数列の分解（１４）は、前記方向性信号（ＸＤＩＲ（ｋ−２））から元のＨＯＡ表現の部分を予測するために圧縮解除側で使用可能なパラメータ（ζ（ｋ−２））をさらに供給する、請求項１および３〜７のいずれか１項に記載の方法。
【請求項９】
前記割り当て（１６）は、割り当てベクトル（γ（ｋ））を供給し、該割り当てベクトルの要素は、前記残差のアンビエントＨＯＡ成分に対する追加的なＨＯＡ係数列のうちのいずれが非アクティブな方向性信号を有するチャンネルに割り当てられるかについての情報を表現する、請求項５〜８のいずれか１項に記載の方法。
【請求項１０】
請求項１に記載の方法に従って圧縮された高次アンビソニックス表現を圧縮解除する方法であって、
−チャンネルの知覚復号されたフレーム
2016520864.tif 000022
を得るために、現在の符号化圧縮されたフレーム
2016520864.tif 000023
を復号するステップ（３１）と、
−方向性信号のインデックスの前記データセット
2016520864.tif 000024
と前記選択されたアンビエントＨＯＡ係数列のインデックスの前記データセット
2016520864.tif 000025
を使用して、方向性信号
2016520864.tif 000026
の前記対応するフレームと前記残差のアンビエントＨＯＡ成分
2016520864.tif 000027
の前記対応するフレームとを再形成するために、チャンネルの前記知覚復号されたフレーム
2016520864.tif 000028
を再配分するステップ（３２）と、
−検出された方向性信号のインデックスの前記データセット
2016520864.tif 000029
および支配的な方向推定値の前記セット
2016520864.tif 000030
を使用して、方向性信号
2016520864.tif 000031
の前記フレームと前記残差のアンビエントＨＯＡ成分
2016520864.tif 000032
の前記フレームとからＨＯＡ表現の現在の圧縮解除されたフレーム
2016520864.tif 000033
を再合成するステップ（３３）と、を含み、
均一に分布した方向に対する方向性信号が前記方向性信号
2016520864.tif 000034
から予測され、その後に、前記現在の圧縮解除されたフレーム
2016520864.tif 000035
は、方向性信号
2016520864.tif 000036
の前記フレーム、前記予測された信号、および前記残差のアンビエントＨＯＡ成分
2016520864.tif 000037
から再合成される、前記方法。
【請求項１１】
請求項１に記載の方法に従って圧縮された高次アンビソニックス表現を圧縮解除する装置であって、
−チャンネルの知覚復号されたフレーム
2016520864.tif 000038
を得るために、現在の符号化圧縮されたフレーム
2016520864.tif 000039
を復号するように構成された手段（３１）と、
−検出された方向性信号のインデックスの前記データセット
2016520864.tif 000040
と選択されたアンビエントＨＯＡ係数列のインデックスの前記データセット
2016520864.tif 000041
を使用して、方向性信号
2016520864.tif 000042
の前記対応するフレームと前記残差のアンビエントＨＯＡ成分
2016520864.tif 000043
の前記対応するフレームとを再形成するために、チャンネルの前記知覚復号されたフレーム
2016520864.tif 000044
を再配分するように構成された手段（３２）と、
−検出された方向性信号のインデックスの前記データセット
2016520864.tif 000045
および支配的な方向推定値の前記セット
2016520864.tif 000046
を使用して、方向性信号
2016520864.tif 000047
の前記フレームと前記残差のアンビエントＨＯＡ成分
2016520864.tif 000048
の前記フレームとからＨＯＡ表現の現在の圧縮解除されたフレーム
2016520864.tif 000049
を再合成するように構成された手段（３３）と、を備え、
均一に分布した方向に対する方向性信号が前記方向性信号
2016520864.tif 000050
から予測され、その後に、前記現在の圧縮解除されたフレーム
2016520864.tif 000051
は、方向性信号
2016520864.tif 000052
の前記フレーム、前記予測された信号、および前記残差のアンビエントＨＯＡ成分
2016520864.tif 000053
から再合成される、前記装置。
【請求項１２】
均一に分布した方向に対する方向性信号の前記予測は、前記方向性信号
2016520864.tif 000054
から、前記予測のための前記受信したパラメータ（ζ（ｋ−２））を使用して行われる、
請求項１０に記載の方法。
【請求項１３】
前記再配分（３２）において、検出された方向性信号のインデックスの前記データセット
2016520864.tif 000055
および選択されたアンビエントＨＯＡ係数列のインデックスの前記データセット
2016520864.tif 000056
の代わりに、受信した割り当てベクトル（γ（ｋ））が使用され、該割り当てベクトルの要素は、前記残差のアンビエントＨＯＡ成分の追加的なＨＯＡ係数列のうちのいずれが非アクティブな方向性信号を有するチャンネルに割り当てられるかについての情報を表現する、請求項１０または１２に記載の方法。
【請求項１４】
前記非所定数（Ｍ）の方向性信号（ＸＤＩＲ（ｋ−２））は、知覚に関連する基準に従って、
−前記圧縮のための所定の所与の数のチャンネルを用いることにより、対応して圧縮解除されるＨＯＡ表現が最小の知覚可能な誤差をもたらし、前記基準で考慮される誤差は、
−−複数の異なる数の前記方向性信号（ＸＤＩＲ（ｋ−２））と前記残差のアンビエントＨＯＡ成分（ＣＡＭＢ，ＲＥＤ（ｋ−２））に対して複数の異なる数のＨＯＡ係数列とを
使用することから生ずるモデル化誤差と、
−−前記方向性信号（ＸＤＩＲ（ｋ−２））の知覚符号化に伴う量子化雑音と、
−−前記残差のアンビエントＨＯＡ成分（ＣＡＭＢ，ＲＥＤ（ｋ−２））の個々のＨＯＡ
係数列を符号化することに伴う量子化雑音と、であり、
−前記３つの誤差の結果として生ずる合計誤差は、当該合計誤差の知覚可能性に関して、複数のテスト方向および複数の臨界帯域に対して考慮され、
−前記最小の知覚可能な誤差を達成するために、平均の知覚可能な誤差または最大の知覚可能な誤差を最小化するように前記非所定数（Ｍ）の方向性信号（ＸＤＩＲ（ｋ−２））が選択される、ように決定される、請求項２に記載の装置。
【請求項１５】
前記残差のアンビエントＨＯＡ成分（ＣＡＭＢ，ＲＥＤ（ｋ−２））を表現する低減された数のＨＯＡ係数列の選択は、３つの場合を区別する基準に従って行われ、前記３つの場合は、
−前記現在のフレーム（ｋ）のＨＯＡ係数列の数がその前のフレーム（ｋ−１）のＨＯＡ係数列の数と同一であるときに、前記前のフレームと同一のＨＯＡ係数列が選択される場合と、
−前記現在のフレーム（ｋ）のＨＯＡ係数列の数がその前のフレーム（ｋ−１）のＨＯＡ係数列の数よりも小さいときに、方向性信号によって占められている前記現在のフレーム内のチャンネルに割り当てられた前記前のフレームに存在した、前記前のフレームからのＨＯＡ係数列が非アクティブ化される場合と、
−前記現在のフレーム（ｋ）のＨＯＡ係数列の数がその前のフレーム（ｋ−１）のＨＯＡ係数列の数よりも大きいときに、前記前のフレームで選択されていたＨＯＡ係数列が前記現在のフレームでも選択され、追加的なＨＯＡ係数列が当該追加的なＨＯＡ係数列の知覚的な重要性または最も高い平均パワーに従って選択可能である場合と、
である、請求項２または１４に記載の装置。
【請求項１６】
前記割り当て（１６）の実行で、
−アクティブな方向性信号は、前記知覚符号化（１７）のための連続的な信号を取得するために、そのアクティブな方向性信号がチャンネル・インデックスを保持するように、所与のチャンネルに割り当てられ、
−前記残差のアンビエントＨＯＡ成分（ＣＡＭＢ，ＲＥＤ（ｋ−２））のＨＯＡ係数列は、最小の数（ΟＲＥＤ）の当該ＨＯＡ係数列が常に対応する数（ΟＲＥＤ）の前のチャンネルが含まれるように、割り当てられ、
−前記残差のアンビエントＨＯＡ成分（ＣＡＭＢ，ＲＥＤ（ｋ−２））の追加的なＨＯＡ係数列を割り当てるために、該追加的なＨＯＡ係数列が前記前のフレーム（ｋ−１）でも選択されていたかが判定され、
−−前記追加的なＨＯＡ係数列が前記前のフレーム（ｋ−１）でも選択されていた場合には、前記ＨＯＡ係数列の知覚符号化（１７）されるチャンネルに対する割り当て（１６）が前記前のフレームに対する割り当てと同一となり、
−−前記追加的なＨＯＡ係数列が前記前のフレーム（ｋ−１）では選択されておらず、
ＨＯＡ係数列が新たに選択されている場合には、前記ＨＯＡ係数列は、まずインデックスに関して昇順に配列され、当該昇順で、方向性信号によってまだ占められていない知覚符号化（１７）されるチャンネルに割り当てられる、
請求項２、１４および１５のいずれか１項に記載の装置。
【請求項１７】
ΟＲＥＤは、前記残差のアンビエントＨＯＡ成分（ＣＡＭＢ,ＲＥＤ（ｋ−２））を表現するＨＯＡ係数列の数であり、前記割り当て（１６）を記述するパラメータは、前記残差のアンビエントＨＯＡ成分を表現するΟＲＥＤ個のＨＯＡ係数列に追加して使用される追加の数のＨＯＡ係数列に対応する長さを有するビットアレイに配列され、前記ビットアレイ内で各ｏ番目のビットは、（ΟＲＥＤ＋ｏ）番目の追加のＨＯＡ係数列が前記残差のアンビエントＨＯＡ成分を表現するために使用されているかどうかを示す、請求項２および１４〜１６のいずれか１項に記載の装置。
【請求項１８】
前記割り当て（１６）を記述するパラメータは、非アクティブな方向性信号の数に対応する長さを有する割り当てベクトルに配列され、該割り当てベクトルの要素は、前記残差のアンビエントＨＯＡ成分の追加的なＨＯＡ係数列のうちのいずれが非アクティブな方向性信号を有するチャンネルに割り当てられるかを示す、請求項２および１４〜１６のいずれか１項に記載の装置。
【請求項１９】
前記現在のフレームのＨＯＡ係数列の分解（１４）は、前記方向性信号（ＸＤＩＲ（ｋ−２））から元のＨＯＡ表現の部分を予測するために圧縮解除側で使用可能なパラメータ（ζ（ｋ−２））をさらに供給する、請求項２及び１４〜１８のいずれか１項に記載の装置。
【請求項２０】
前記割り当て（１６）は、割り当てベクトル（γ（ｋ））を供給し、該割り当てベクトルの要素は、前記残差のアンビエントＨＯＡ成分に対する追加的なＨＯＡ係数列のうちのいずれが非アクティブな方向性信号を有するチャンネルに割り当てられるかについての情報を表現する、請求項１６〜１９のいずれか１項に記載の装置。
【請求項２１】
均一に分布した方向に対する方向性信号の前記予測は、前記方向性信号
2016520864.tif 000057
から、前記予測のための前記受信したパラメータ（ζ（ｋ−２））を使用して行われる、
請求項１１に記載の装置。
【請求項２２】
前記再配分（３２）において、検出された方向性信号のインデックスの前記データセット
2016520864.tif 000058
および選択されたアンビエントＨＯＡ係数列のインデックスの前記データセット
2016520864.tif 000059
の代わりに、受信した割り当てベクトル（γ（ｋ））が使用され、該割り当てベクトルの要素は、前記残差のアンビエントＨＯＡ成分の追加的なＨＯＡ係数列のうちのいずれが非アクティブな方向性信号を有するチャンネルに割り当てられるかについての情報を表現する、請求項１１または２１に記載の装置。